(57)【特許請求の範囲】
【請求項１】
無線リソースの制御方法であって、
ユーザ装置（ＵＥ）が各コンポーネントキャリアのリファレンス信号の受信電力（ＲＳＲＰ）を検出し、検出結果に基づいて電力のインバランスイメージ妨害の発生条件を満たすかどうかを判断するステップと、
前記電力のインバランスイメージ妨害の発生条件を満たすと判断した場合、プリセットされた電力のインバランスイメージ妨害回避ポリシーを実行するステップとを含み、
プリセットされた電力のインバランスイメージ妨害回避ポリシーを実行することは、
前記各コンポーネントキャリアから、他のコンポーネントキャリアのＲＳＲＰとの差が一番大きいコンポーネントキャリアをターゲットコンポーネントキャリアとして選択し、
選択された前記ターゲットコンポーネントキャリアがマスタコンポーネントキャリアであるかどうかを判断し、マスタコンポーネントキャリアであれば、前記ターゲットマスタコンポーネントキャリアを対応する残りのアクティブコンポーネントキャリアにおける一番大きいＲＳＲＰのキャリアに切り替え、元の前記ターゲットコンポーネントキャリアを解放して正常な通信を実行し、そうでなければ、前記ターゲットコンポーネントキャリアを解放して正常な通信を実行することを含むことを特徴とする
無線リソースの制御方法。
【請求項２】
前記電力のインバランスイメージ妨害回避ポリシーは、さらに、
前記コンポーネントキャリアの数量が２である場合、小さいＲＳＲＰのコンポーネントキャリアをターゲットコンポーネントキャリアとして選択することを含むことを特徴とする
請求項１に記載の無線リソースの制御方法。
【請求項３】
前記電力のインバランスイメージ妨害の発生条件としては、
前記各コンポーネントキャリアのＲＳＲＰに、２つのＲＳＲＰの差の絶対値が電力のインバランスイメージ妨害閾値より大きい場合があることであることを特徴とする
請求項１又は２に記載の無線リソースの制御方法。
【請求項４】
前記電力のインバランスイメージ妨害閾値は、６ｄＢであることを特徴とする
請求項３に記載の無線リソースの制御方法。
【請求項５】
ユーザ装置（ＵＥ）の各コンポーネントキャリアのリファレンス信号の受信電力（ＲＳＲＰ）を検出し、検出結果に基づいて電力のインバランスイメージ妨害の発生条件を満たすかどうかを判断することに用いられる検出判断モジュールと、
前記検出判断モジュールが前記電力のインバランスイメージ妨害の発生条件を満たすと判断した場合、プリセットされた電力のインバランスイメージ妨害回避ポリシーを実行することに用いられる妨害回避モジュールとを備え、
プリセットされた電力のインバランスイメージ妨害回避ポリシーを実行することは、
前記各コンポーネントキャリアから、他のコンポーネントキャリアのＲＳＲＰとの差が一番大きいコンポーネントキャリアをターゲットコンポーネントキャリアとして選択し、
選択された前記ターゲットコンポーネントキャリアがマスタコンポーネントキャリアであるかどうかを判断し、マスタコンポーネントキャリアであれば、前記ターゲットマスタコンポーネントキャリアを対応する残りのアクティブコンポーネントキャリアにおける一番大きいＲＳＲＰのキャリアに切り替え、元の前記ターゲットコンポーネントキャリアを解放して正常な通信を実行し、そうでなければ、前記ターゲットコンポーネントキャリアを解放して正常な通信を実行することを含むことを特徴とする
無線リソースの制御装置。
【請求項６】
前記電力のインバランスイメージ妨害回避ポリシーは、さらに、
前記コンポーネントキャリアの数量が２である場合、小さいＲＳＲＰのコンポーネントキャリアをターゲットコンポーネントキャリアとして選択することを含むことを特徴とする
請求項５に記載の無線リソースの制御装置。
【請求項７】
前記電力のインバランスイメージ妨害の発生条件は、
前記各コンポーネントキャリアのＲＳＲＰに、２つのＲＳＲＰの差の絶対値が電力のインバランスイメージ妨害閾値より大きい場合があることであることを特徴とする
請求項５又は６に記載の無線リソースの制御装置。
【請求項８】
前記電力のインバランスイメージ妨害閾値は、６ｄＢであることを特徴とする
請求項７に記載の無線リソースの制御装置。
【発明の詳細な説明】
【技術分野】
【０００１】
本発明は、長期発展型システム−アドバンスト（ＬＴＥ−Ａ：Ｌｏｎｇ  Ｔｅｒｍ  Ｅｖｏｌｕｔｉｏｎ−Ａｄｖａｎｃｅｄ）におけるキャリアアグリゲーション（ＣＡ：Ｃａｒｒｉｅｒ  Ａｇｇｒｅｇａｔｉｏｎ）技術に関し、特に、無線リソースの制御方法及び装置に関する。
【背景技術】
【０００２】
国際電気通信連合（ＩＴＵ：Ｉｎｔｅｒｎａｔｉｏｎａｌ  Ｔｅｌｅｃｏｍｍｕｎｉｃａｔｉｏｎｓ  Ｕｎｉｏｎ）の将来のピークレート要求を満たすために、ＬＴＥ−Ａは、現在１００ＭＨｚの最大帯域幅をサポートするが、既存の利用可能なスペクトルリソースでそのような大きな帯域幅を見つけることが困難であり、且つ大帯域幅が基地局と端末のハードウェア設計に大きな困難を引き起こす。また、複数の周波数バンドに分散されている複数のスペクトルリソースに対して、それらを十分に利用する技術が必要となる。上記の考慮に基づいて、ＬＴＥ−Ａは、キャリアアグリゲーションという主要な技術が導入される。
【０００３】
キャリアアグリゲーションにおいて複数の隣接な周波数コンポーネントキャリア間の電力のインバランスにより深刻なイメージ妨害（ｉｍａｇｅ  ｉｎｔｅｒｆｅｒｅｎｃｅ）を引き起こす。これは、ユーザ装置（ＵＥ：Ｕｓｅｒ  Ｅｑｕｉｐｍｅｎｔ）受信回路の同相直交（Ｉ／Ｑ：Ｉｎ−ｐｈａｓｅ／Ｑｕａｄｒａｔｕｒｅ）ゲインのインバランスと積分偏差によりイメージ信号を生成し、１つのコンポーネントキャリアのイメージ信号が別のコンポーネントキャリアに落ちると、イメージ妨害が発生する。一般的な場合で、この２つのコンポーネントキャリア上の電力の差が大きくない場合、且つユーザ装置がテストにより標準におけるイメージ抑制要求を満たす場合、このようなイメージ妨害は、小さくてシステム性能の損失を引き起こさないので、無視できる。しかし、ある場合、例えば、各コンポーネントキャリアによって要求されたキャリアカバーエリアが異なる場合、それらが集約されるとコンポーネントキャリア上の電力の差が大きい。このようにして、電力の大きいコンポーネントキャリアのイメージが電力の小さいコンポーネントキャリアにおいて大きなイメージ妨害を発生するので、当該コンポーネントキャリア上の受信性能に影響を与えて、キャリア集約の全体通信性能が低下し、深刻な場合に通信中断を引き起こす。通常、このような妨害は、比較的な隣接している近いコンポーネントキャリアに発生するので、主にバンド内キャリアアグリゲーション（ｉｎｔｒａ−ｂａｎｄ  ＣＡ）のシーン（ｓｃｅｎａｒｉｏ）で発生し、バンド間キャリアアグリゲーション（ｉｎｔｒｅｒ−ｂａｎｄ  ＣＡ）のシーンで発生しない。
【０００４】
前記電力のインバランスとは単一のリソースエレメント（ＲＥ：Ｒｅｓｏｕｒｃｅ  Ｅｌｅｍｅｎｔ）の電力が等しくないことを意味し、現在に大部分のシーンで隣接しているコンポーネントキャリアの電力の差が大きくないが、このような電力のインバランスにより引き起こされる問題が明らかではない。しかし、キャリアアグリゲーション技術によりスペクトルリソースを良く利用し、伝送レートを向上させることができるので、その応用見込みは、増加する事業者の興味を得て、特に増加するキャリアアグリゲーションシーンの応用に伴い、上記の隣接しているコンポーネントキャリアの電力のインバランス問題は、ますます顕著になる。したがって、このような隣接しているコンポーネントキャリアの電力のインバランス問題を解決する方法を提供することが必要となる。
【発明の概要】
【発明が解決しようとする課題】
【０００５】
これを鑑みて、本発明の主な目的は、キャリアアグリゲーションシーンで、類似周波数コンポーネントキャリア間の電力のインバランスにより通信性能が低下する問題を解決するように、無線リソース制御方法及び装置を提供することにある。
【課題を解決するための手段】
【０００６】
上記目的を達成するために、本発明の技術的なスキームは、以下のように実現される。
【０００７】
本発明に係る無線リソースの制御方法は、
ユーザ装置（ＵＥ）が各コンポーネントキャリアのリファレンス信号の受信電力（ＲＳＲＰ）を検出し、検出結果に基づいて電力のインバランスイメージ妨害の発生条件を満たすかどうかを判断するステップと、
前記電力のインバランスイメージ妨害の発生条件を満たすと判断した場合、プリセットされた電力のインバランスイメージ妨害の回避ポリシーを実行するステップとを含む。
【０００８】
プリセットされた電力のインバランスイメージ妨害回避ポリシーを実行することは、
前記各コンポーネントキャリアから、他のコンポーネントキャリアのＲＳＲＰとの差が最も大きいコンポーネントキャリアをターゲットコンポーネントキャリアとして選択し、
選択された前記ターゲットコンポーネントキャリアがマスタコンポーネントキャリアであるかどうかを判断し、マスタコンポーネントキャリアであれば、前記ターゲットマスタコンポーネントキャリアを対応する残りのアクティブコンポーネントキャリアにおける一番大きいＲＳＲＰのキャリアに切り替え、元の前記ターゲットコンポーネントキャリアを解放して正常な通信を実行し、そうでなければ、前記ターゲットコンポーネントキャリアを解放して正常な通信を実行することを含む。
【０００９】
前記電力のインバランスイメージ妨害回避ポリシーは、さらに、
前記コンポーネントキャリアの数量が２である場合、小さいＲＳＲＰのコンポーネントキャリアをターゲットコンポーネントキャリアとして選択することを含む。
【００１０】
前記イメージ妨害の発生条件は、
前記各コンポーネントキャリアのＲＳＲＰには、２つのＲＳＲＰの差の絶対値が電力のインバランス閾値より大きい場合がある。
【００１１】
前記電力のインバランス閾値は、６ｄＢである。
【００１２】
また、本発明に係る無線リソースの制御装置は、
ユーザ装置（ＵＥ）の各コンポーネントキャリアのリファレンス信号の受信電力（ＲＳＲＰ）を検出し、検出結果に基づいて電力のインバランスイメージ妨害の発生条件を満たすかどうかを判断することに用いられる検出判断モジュールと、
前記検出判断モジュールが前記電力のインバランスイメージ妨害の発生条件を満たすと判断した場合、プリセットされた電力のインバランスイメージ妨害回避ポリシーを実行することに用いられる妨害回避モジュールとを備える。
【００１３】
プリセットされた電力のインバランスイメージ妨害回避ポリシーを実行することは、
前記各コンポーネントキャリアから、他のコンポーネントキャリアのＲＳＲＰとの差が最も大きいコンポーネントキャリアをターゲットコンポーネントキャリアとして選択し、
選択された前記ターゲットコンポーネントキャリアがマスタコンポーネントキャリアであるかどうかを判断し、マスタコンポーネントキャリアであれば、前記ターゲットマスタコンポーネントキャリアを対応する残りのアクティブコンポーネントキャリアにおける一番大きいＲＳＲＰのキャリアに切り替え、元の前記前記ターゲットコンポーネントキャリアを解放して正常な通信を実行し、そうでなければ、前記ターゲットコンポーネントキャリアを解放して正常な通信を実行することを含む。
【００１４】
前記電力のインバランスイメージ妨害回避ポリシーは、さらに、
前記コンポーネントキャリアの数量が２である場合、小さいＲＳＲＰのコンポーネントキャリアをターゲットコンポーネントキャリアとして選択することを含む。
【００１５】
前記イメージ妨害の発生条件は、
前記各コンポーネントキャリアのＲＳＲＰに、２つのＲＳＲＰの差の絶対値が電力のインバランス閾値より大きい場合がある。
【００１６】
前記電力のインバランス閾値は、６ｄＢである。
【発明の効果】
【００１７】
本発明に係る無線リソースの制御方法及び装置によれば、各コンポーネントキャリアのＲＳＲＰを検出し、検出結果に基づいて電力のインバランスイメージ妨害の発生条件を満たすかどうかを判断し、電力のインバランスイメージ妨害の発生条件を満たすと判断した場合、プリセットされた電力のインバランスイメージ妨害回避ポリシーを実行する。本発明により、キャリアアグリゲーションシーンで、類似周波数のコンポーネントキャリア間の電力のインバランスにより通信性能が低下する問題を解決して、類似周波数のコンポーネントキャリア間の電力のインバランスにより引き起こされるイメージ妨害を低減させて、通信性能を向上させることができる。
【図面の簡単な説明】
【００１８】
【図１】本発明の実施形態に係る無線リソースの制御方法のフローチャートである。
【図２】本発明の実施形態に係る無線リソースの制御装置の構成構造を示す図である。
【発明を実施するための形態】
【００１９】
以下、図面と具体的な実施形態を参照しながら本発明の技術的なスキームをさらに詳しく説明する。
【００２０】
発明者は、実施において隣接しているコンポーネントキャリアの電力のインバランスにより引き起こされるイメージ妨害問題が主に以下の条件を満たすことを発見する。
【００２１】
１、中心キャリアに隣接した２つ以上のコンポーネントキャリアは、少なくとも存在する。
【００２２】
２、コンポーネントキャリアの電力のインバランスが一定の閾値を超えることがあり、大量の実験とシミュレーションにより、通常、この閾値を６ｄＢに取ることが好適であると考え、もちろん、閾値が小さいほど、イメージ妨害が小さくなる。
【００２３】
同時に上記の２つの条件を満たさなければ、深刻なシステム通信性能低下を引き起こさなく、そうでなければ、ＵＥ受信機が標準に規定されたイメージ抑制要求を満たすと、このような隣接しているコンポーネントキャリアの電力のインバランスにより引き起こされるイメージ妨害問題が無視できる。本発明は、上記の２つの条件に基づいてこのような電力のインバランスにより引き起こされるイメージ妨害問題を解決する。
【００２４】
長期発展型（ＬＴＥ：Ｌｏｎｇ  Ｔｅｒｍ  Ｅｖｏｌｕｔｉｏｎ）規格には、ＵＥによって使用されるキャリアが構成（ｃｏｎｆｉｇｕｒｅ）コンポーネントキャリアと呼ばれ、使用されないキャリアが非構成コンポーネントキャリアと呼ばれ、構成と非構成が各ＵＥに対して関連し、無線リソース制御（ＲＲＣ：Ｒａｄｉｏ  Ｒｅｓｏｕｒｃｅ  Ｃｏｎｔｒｏｌ）シグナリングによりＵＥのためにコンポーネントキャリアを解放又は増加することができ、構成コンポーネントキャリアがさらにアクティブ（ａｃｔｉｅ）コンポーネントキャリアと非アクティブ（ｄｅａｃｔｉｖａｔｅｄ）コンポーネントキャリアに分けられ、非アクティブコンポーネントキャリアがデータを伝送しないが、いくつかの基本的な測定情報を維持することが規定されている。したがって、電力のインバランス問題は、アクティブなコンポーネントキャリア間に発生することだけではなく、非アクティブなコンポーネントキャリア間においても発生する。
【００２５】
上記の分析に基づき、本発明に係る無線リソース制御方法は、主に、ＵＥが各コンポーネントキャリアのリファレンス信号の受信電力ＲＳＲＰ（ＲＳＲＰ：Ｒｅｆｅｒｅｎｃｅ  Ｓｉｇｎａｌ  Ｒｅｃｅｉｖｉｎｇ  Ｐｏｗｅｒ）を検出し、検出結果に基づいて電力のインバランスイメージ妨害の発生条件を満たすかどうかを判断するステップと、電力のインバランスイメージ妨害の発生条件を満たすと判断した場合、プリセットされた電力のインバランスイメージ妨害回避ポリシーを実行するステップとを含む。
【００２６】
ここで、プリセットされた電力のインバランスイメージ妨害回避ポリシーを実行することは、各コンポーネントキャリアから、他のコンポーネントキャリアのＲＳＲＰとの差が一番大きいコンポーネントキャリアをターゲットコンポーネントキャリアとして選択することと、選択されたターゲットコンポーネントキャリアがマスタコンポーネントキャリアであるかどうかことを判断し、マスタコンポーネントキャリアであれば、ターゲットコンポーネントキャリアを対応する残りのアクティブコンポーネントキャリアにおける一番大きいＲＳＲＰのキャリアに切り替え、元のターゲットコンポーネントキャリアを解放して正常な通信を実行し、そうでなければ、ターゲットコンポーネントキャリアを解放して正常な通信を実行することとを含む。
【００２７】
電力のインバランスイメージ妨害回避ポリシーは、さらに、
コンポーネントキャリアの数量が２である場合、小さいＲＳＲＰのコンポーネントキャリアをターゲットコンポーネントキャリアとして選択することを含む。
【００２８】
イメージ妨害の発生条件としては、各コンポーネントキャリアのＲＳＲＰにおいて、２つのＲＳＲＰの差の絶対値が電力のインバランス閾値より大きい場合がある。
【００２９】
本発明の実施形態に係る無線リソース制御方法の詳細なプロセスは、図１に示すように、主に以下のステップを含む。
【００３０】
ステップ１０１において、ＵＥは、各コンポーネントキャリアのＲＳＲＰを検出する。
【００３１】
ステップ１０２において、ＵＥは、検出結果に基づいて電力のインバランスイメージ妨害の発生条件を満たすかどうかを判断し、満たす場合は、ステップ１０３を実行し、満たさなければ、ステップ１０７（正常な通信を実行する）を実行する。
【００３２】
コンポーネントキャリアに対応するＲＳＲＰは、それぞれＲＳＲＰＫ（Ｋ＝１、２、…、ｎ）であり、ｎが当該シーンでのキャリアアグリゲーション構成のコンポーネントキャリアの数量であると仮定すると、隣接しているコンポーネントキャリアの電力のインバランスイメージ妨害の発生条件は、次のように説明されることができる。
【００３３】
｜ＲＳＲＰｉ−ＲＳＲＰｊ｜>Ａ（ｄＢ）、ｉ≠ｊ、ｉ＝１、２、…、ｎ；ｊ＝１、２、…、ｎ
即ち各コンポーネントキャリアのＲＳＲＰにおいて、２つのＲＳＲＰの差の絶対値が電力のインバランス閾値より大きい場合がある。上記式中、Ａが電力のインバランス閾値であり、ｄＢを単位とし、各メーカーは、それぞれのシミュレーション又は実験結果に基づいてＡの具体的な値を指定することができる。実際の応用において、Ａの好ましい値が６ｄＢである。
【００３４】
ステップ１０３において、各コンポーネントキャリアから、他のコンポーネントキャリアのＲＳＲＰとの差が一番大きいコンポーネントキャリアをターゲットコンポーネントキャリアとして選択し、コンポーネントキャリアＸとして記し、２つだけのコンポーネントキャリアがあるように構成されると、小さいＲＳＲＰのコンポーネントキャリアをターゲットコンポーネントキャリアとして選択し、コンポーネントキャリアＸとして記す。
【００３５】
ステップ１０４において、コンポーネントキャリアＸがマスタコンポーネントキャリア（ＰＣＣ：Ｐｒｉｍａｒｙ  Ｃｏｍｐｏｎｅｎｔ  Ｃａｒｒｉｅｒ）であるかどうかを判断し、そうであれば、ステップ１０５を実行し、そうでなければ、ステップ１０６を実行する。
【００３６】
ステップ１０５において、マスタコンポーネントキャリア（即ちコンポーネントキャリアＸ）を対応する残りのアクティブコンポーネントキャリアにおける一番大きいＲＳＲＰのキャリアに切り替え、元のンポーネントキャリアＸを解放し、即ち無線制御シグナリングによりそれ（元のコンポーネントキャリアＸ）が非構成コンポーネントキャリアになるようにする。このステップが実行された後にステップ１０７に移転する。
【００３７】
ステップ１０６において、直接にコンポーネントキャリアＸを解放し、即ち無線制御シグナリングによりそれ（コンポーネントキャリアＸ）が非構成コンポーネントキャリアになるようにする。このステップが実行された後にステップ１０７に移転する。
【００３８】
ステップ１０７において、ＵＥは、正常な通信を実行し、ステップ１０１に戻って次回のＲＳＲＰ検出に入る。
【００３９】
以下、さらに具体的な実施形態を参照して上記の無線リソース制御方法をさらに詳しく説明する。
【００４０】
本発明の実施形態一において、第三世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）にキャリアアグリゲーションシーンが定義され、その中、シーン３で、一方のキャリアが十分なカバーを提供し、他方のキャリアが一部のカバーを提供し、ＵＥは、この２つのキャリアを利用してコンポーネントキャリアを構成する。十分なカバーを提供するキャリアがコンポーネントキャリア１であり、他方のキャリアがコンポーネントキャリア２であり、且つそれらが同じ周波数バンドにあり、ＵＥのコンポーネントキャリアが２つであると仮定している。ＵＥが３ＧＰＰ標準におけるイメージ抑制要求（ｒｅｊｅｔｉｏｎ  ｒｅｑｕｉｒｅｍｅｎｔ）を満たし、Ａ（即ち電力のインバランス閾値）の値が６ｄＢである。ＵＥは、各コンポーネントキャリアのＲＳＲＰを検出する。ある回の検出中、本実施形態においてコンポーネントキャリア１のＲＳＲＰがコンポーネントキャリア２より６ｄＢ以上大きく、且つコンポーネントキャリア１がマスタコンポーネントキャリアであると仮定すると、前記方法に基づいて以下の条件を満たすと判断する。
【００４１】
｜ＲＳＲＰ１−ＲＳＲＰ２｜>６（ｄＢ）
ＵＥが上記の条件を満たすと判断した場合、プリセットされた電力のインバランスイメージ妨害回避ポリシーを実行することは、具体的には、
各コンポーネントキャリアから、他のコンポーネントキャリアのＲＳＲＰとの差が一番大きいコンポーネントキャリアをターゲットコンポーネントキャリアとして選択し、コンポーネントキャリアＸとして記し、２つだけのコンポーネントキャリアがあるように構成されると、小さいＲＳＲＰのコンポーネントキャリアをターゲットコンポーネントキャリアとして選択し、コンポーネントキャリアＸとして記す。前記仮定に基づいて、本実施形態においてコンポーネントキャリア２は、キャリアＸとして記されるべきである。
【００４２】
その後、キャリアＸがマスタコンポーネントキャリアであるかどうかを判断する。本実施形態において、コンポーネントキャリア２は、セカンダリコンポーネントキャリアである。それによって、直接にコンポーネントキャリア２を解放し、即ち無線制御シグナリングによりそれが非構成コンポーネントキャリアになるようにし、その後正常に通信し、次回のＲＳＲＰ測定に入る。
【００４３】
本実施形態においてコンポーネントキャリア２がマスタコンポーネントキャリアであれば、マスタコンポーネントキャリアを対応する残りのアクティブ（ａｃｔｉｖｅ）コンポーネントキャリアにおけるＲＳＲＰの最も大きいキャリアに切り替え、即ちコンポーネントキャリア１に切り替え、且つ元のコンポーネントキャリア２を解放し、即ち無線制御シグナリングによりそれが非構成コンポーネントキャリアになるようにし、その後正常に通信し、次回のＲＳＲＰ測定に入る。
【００４４】
本発明の実施形態２において、ＵＥがあるシーンで、コンポーネントキャリア１、コンポーネントキャリア２及びコンポーネントキャリア３という３つのコンポーネントキャリアを構成すると仮定し、コンポーネントキャリア１がマスタコンポーネントキャリアであり、コンポーネントキャリア２がアクティブ状態にあるが、コンポーネントキャリア３が非アクティブ状態にある。本実施形態において、ＵＥが３ＧＰＰ標準におけるイメージ抑制要求を満たし、Ａ（電力のインバランス閾値）の値が６ｄＢである。ＵＥは、各コンポーネントキャリアのＲＳＲＰを検出し、そして以下の条件を満たすと判断する。
【００４５】
｜ＲＳＲＰｉ−ＲＳＲＰｊ｜>６（ｄＢ）、ｉ≠ｊ；ｉ＝１、２、３、ｊ＝１、２、３
ＵＥが上記の条件を満たすと判断した場合、プリセットされた電力のインバランスイメージ妨害回避ポリシーを実行することは、具体的には、
各コンポーネントキャリアから、他のコンポーネントキャリアのＲＳＲＰとの差が一番大きいコンポーネントキャリアをターゲットコンポーネントキャリアとして選択し、コンポーネントキャリアＸとして記し、２つだけのコンポーネントキャリアがあるように構成されると、小さいＲＳＲＰのコンポーネントキャリアをターゲットコンポーネントキャリアとして選択し、コンポーネントキャリアＸとして記す。本実施形態において、コンポーネントキャリア２がキャリアＸとして記され、即ちコンポーネントキャリア２のＲＳＲＰと、コンポーネントキャリア１及びコンポーネントキャリア３との差が一番大きいと仮定している。
【００４６】
その後、キャリアＸがマスタコンポーネントキャリアであるかどうかを判断する。本実施形態において、コンポーネントキャリア２がセカンダリコンポーネントキャリアである。それによって、直接にコンポーネントキャリア２を解放し、即ち無線制御シグナリングによりそれが非構成コンポーネントキャリアになるようにし、その後正常に通信して、次回のＲＳＲＰ測定に入る。
【００４７】
本実施形態においてコンポーネントキャリア２がマスタコンポーネントキャリアであれば、マスタコンポーネントキャリアを対応する残りのアクティブ（ａｃｔｉｖｅ）コンポーネントキャリアにおける一番大きいＲＳＲＰのキャリアに切り替え、即ちコンポーネントキャリア１に切り替え、且つ元のコンポーネントキャリア２を解放し、即ち無線制御シグナリングによりそれが非構成コンポーネントキャリアになるようにし、その後正常に通信し、次回のＲＳＲＰ測定に入る。
【００４８】
前記無線リソース制御方法に対応して、本発明の実施形態は、無線リソース制御装置を提供し、当該装置はＵＥに適用可能であり、主に検出判断モジュール１０と妨害回避モジュール２０を含む。
【００４９】
ここで、検出判断モジュール１０は、ＵＥの各コンポーネントキャリアのリファレンス信号受信電力ＲＳＲＰを検出し、検出結果に基づいて電力のインバランスイメージ妨害の発生条件を満たすかどうかを判断することに用いられる。
【００５０】
妨害回避モジュール２０は、検出モジュール１０が電力のインバランスイメージ妨害の発生条件を満たすと判断した場合、プリセットされた電力のインバランスイメージ妨害回避ポリシーを実行することに用いられる。
【００５１】
ここで、プリセットされた電力のインバランスイメージ妨害回避ポリシーを実行することは、
各コンポーネントキャリアから、他のコンポーネントキャリアのＲＳＲＰとの差が一番大きいコンポーネントキャリアをターゲットコンポーネントキャリアとして選択することと、選択されたターゲットコンポーネントキャリアがマスタコンポーネントキャリアであるかどうかを判断し、マスタコンポーネントキャリアであれば、ターゲットマスタコンポーネントキャリアを対応する残りのアクティブコンポーネントキャリアにおける一番大きいＲＳＲＰのキャリアに切り替え、元の前記ターゲットコンポーネントキャリアを解放して正常な通信を実行し、そうでなければ、ターゲットコンポーネントキャリアを解放して正常な通信を実行することとを含む。
【００５２】
好ましくは、電力のインバランスイメージ妨害回避ポリシーは、さらにコンポーネントキャリアの数量が２である場合、小さいＲＳＲＰのコンポーネントキャリアをターゲットコンポーネントキャリアとして選択することを含む。
【００５３】
イメージ妨害の発生条件は、各コンポーネントキャリアのＲＳＲＰに、２つのＲＳＲＰの差の絶対値が電力のインバランス閾値より大きい場合があることである。前記電力のインバランス閾値は、好ましくは６ｄＢである。
【００５４】
上記は、本発明の好ましい実施形態だけであるが、本発明の保護範囲を限定することに用いられるものではない。
【図１】
0005992536.tif 000002
【図２】
0005992536.tif 000003